(57)【特許請求の範囲】
【請求項１】
密閉容器内に、駆動要素と、駆動要素により駆動されて外部から吸入した冷媒を圧縮して吐出する圧縮機構とを具備し、駆動要素および圧縮機構を連結するシャフトを圧縮機構の主軸受および駆動要素を挟んで反対側の副軸受で回転自在に支持する密閉型圧縮機の製造方法であって、
副軸受保持板への取り付け面と軸線との角度が垂直方向より傾いた副軸受を、副軸受保持板に取り付け面を摺接させながら回転させ、主軸受と副軸受の軸線が略平行になった位置で固定して組み立てることを特徴とする密閉型圧縮機の製造方法。
【請求項２】
密閉容器内に、駆動要素と、駆動要素により駆動されて外部から吸入した冷媒を圧縮して吐出する圧縮機構とを具備し、駆動要素および圧縮機構を連結するシャフトを圧縮機構の主軸受および駆動要素を挟んで反対側の副軸受で回転自在に支持する密閉型圧縮機の製造方法であって、
副軸受保持板への取り付け面と軸線との角度が垂直方向より傾いた副軸受を複数種類準備し、前記複数種類の副軸受より副軸受保持板の密閉容器への取り付け角度のずれと相殺する傾きを持った副軸受を選択し、主軸受と副軸受の軸線を略平行にして組み立てることを特徴とする密閉型圧縮機の製造方法。
【発明の詳細な説明】
【０００１】
【発明の属する技術分野】
本発明は冷凍空調機器等に用いられる２軸受構造の冷媒圧縮機の製造方法に関するものである。
【０００２】
【従来の技術】
冷凍空調用の圧縮機としては、圧縮機構がレシプロ式、ローリングピストン式およびスクロール式のものがあり、いずれの方法も家庭用、業務用の冷凍空調分野で使用されている。ここでは、スクロール式の圧縮機を例に取り従来の技術を説明する。
【０００３】
図３に従来のスクロール圧縮機の縦断面図を示す。密閉容器１の内部には、固定スクロール２ａと固定スクロール２ａに対して旋回運動する可動スクロール２ｂを噛み合わせた
圧縮機構２と軸受部品３を上部に設けている。そして、可動スクロール２ｂの偏芯軸受２ｃを、シャフト４の端部の偏芯軸４ａに回転自在に挿入し、可動スクロール２ｂをシャフト４の回転運動により旋回運動させている。
【０００４】
シャフト４には電動機５の回転子５ａが取り付けられており、密閉容器１に焼き嵌め固定された固定子５ｂとともに軸受部品３の下部に配設されている。主軸受６は軸受部品３に環状のブッシュ材を圧入することにより形成されており、シャフト４に作用する径方向の力を支えている。密閉容器１の下方底部には潤滑油７を貯溜する油だめ８が設けられている。
【０００５】
また、密閉容器１の側部には冷媒ガスの吸入管９が設けられており圧縮機構２へ冷媒ガスを導入している。そして、密閉容器１の内部には圧縮側のガス圧力が作用する構成となっている。シャフト４の圧縮機構２の反対側の副軸４ｃは深溝玉軸受１０で支承されており、その深溝玉軸受１０は密閉容器１と溶接固定されている副軸受ホルダー１１に嵌入し固定されている。副軸受ホルダー１１は密閉容器１に溶接などで密封固定された副軸受保持板１２に取り付けられ、上部の軸受部品３の主軸受６と電動機５を挟んで２軸受構造となっている。
【０００６】
副軸受保持板１２が主軸受６の軸線に対して傾いて固定されるとそれに取り付けられた副軸受ホルダー１１が主軸受６の軸線に対して傾いて組み立てられてしまう。その主軸受６と副軸受ホルダー１１の軸線の傾きを内輪と外輪が傾いても回転することの出来る深溝玉軸受１０を使用することによりシャフト４が主軸受６とこじることなく組み立てを行っている。
【０００７】
また、副軸受に球面軸受を採用（特開平６−２２１２８０号公報参照）したり、副軸受部材を傾斜可能に支持（特開平８−３１２５４２号公報参照）したりして副軸受保持板１２または副軸受ホルダー１１の傾きを許容する構成が開示されている。また、シャフト４の端部にはトロコイドポンプ１３が配設されており回転子５ａの回転がシャフト４により伝達される構造になっている。
【０００８】
さらにシャフト４にはトロコイドポンプ１３で吸い上げられた潤滑油７を各軸受部、すなわち主軸受６、偏心軸受２ｃ、および各摺動面へ供給する貫通穴１４を設け、かつシャフト４の下端より潤滑油７を吸い上げるようにしている。１５は密閉容器１の外へ圧縮ガスを出す吐出管である。１６は停止時に可動スクロール２ｂが逆転するのを防ぐための逆止弁、１７は可動スクロール２ｂを固定スクロール２ａに対して旋回運動させるための自転防止用のオルダムリングである。
【０００９】
次に上記機構からなる圧縮機構の作用を説明する。低圧ガスは吸入管９より戻り、圧縮機構２に吸入される。固定スクロール２ａに対して可動スクロール２ｂを自転しないように旋回運動させることにより、固定スクロール２ａと可動スクロール２ｂとの間に形成された複数の圧縮空間が外側から内側に向かって次第に縮小されて圧縮が行われる。
【００１０】
圧縮されたガスは高圧ガスとなり、一旦マフラー１８に吐出された後、密閉容器１内から吐出管１５より密閉容器１外へと吐出され、再び低圧ガスを循環させ、周知の圧縮サイクルを構成する。一方、シャフト４で吸い上げられた潤滑油７は、シャフト４の貫通穴１４の中を上昇し、偏心軸受１９、主軸受６および各摺動部を潤滑、冷却して、シャフト４に配設された微少切り欠き４ｂから排出され、回転子５ａの連通穴２０を通って油だめ８に戻る潤滑サイクルを形成している。
【００１１】
【発明が解決しようとする課題】
しかしながら上記従来の構成では、副軸受ホルダーが取り付けられる副軸受保持板を主軸受の軸線に対して傾くことなく密閉容器に固定することは困難であるので、副軸受に滑り軸受を使用した場合にはシャフトとの片当たりにより駆動力が増大し圧縮機の入力が増加したり、油膜が切れやすくなるために信頼性が低下するといった課題がある。
【００１２】
その対策として傾きの許容可能な副軸受部材が不可欠である。ところが、内輪と外輪が傾いても回転することの出来る深溝玉軸受は滑り軸受に比べて高価であり安価な圧縮機を提供することが困難となる。また、球面軸受や副軸受部材の傾斜可能支持といった構成でも関連部品が高価であるとか、部品点数が増加する事となるため、同様に安価な圧縮機の提供に対し障害となる。更に深溝玉軸受では、内輪と外輪の傾きが発生すると玉の転道軌跡が楕円となり転道早さが変化するため騒音が大きくなるという課題があった。
【００１３】
本発明はこのような上記従来の課題を解決するものであり、副軸受の傾きを容易な構成で許容し信頼性の高い圧縮機を安価に提供することを目的とする。
【００１４】
【課題を解決するための手段】
上記の課題を解決するために請求項１の本発明は、副軸受の軸線と副軸受保持板への取り付け面が傾いて構成されており、副軸受を回転調整させることにより主軸受の軸線と副軸受の軸線を概略平行にして組み立てることにしたものである。この製造方法により、副軸受の軸線と主軸受の軸線を概略平行にすることが出来るので、副軸受に安価な滑り軸受を使用しても主軸受とシャフトの傾きを小さくすることにより片当たりによる圧縮機の入力増大や信頼性の低下といった課題を克服することが出来る。更に、深溝玉軸受の場合には転道面が概略真円となり転道早さの変化が小さくなるので騒音も抑制することが出来る。
【００１５】
さらに、上記の課題を解決するために請求項２の本発明は、副軸受の軸線と副軸受保持板への取り付け面が傾いて構成されており、副軸受保持板の傾きと相殺する傾きを持った副軸受を選択して主軸受の軸線と副軸受の軸線を概略平行にして組み立てることとしたものである。
【００１６】
この製造方法により、副軸受の軸線と主軸受の軸線を概略平行にすることが出来るので、副軸受に安価な滑り軸受を使用しても主軸受とシャフトの傾きを小さくすることにより片当たりによる圧縮機の入力増大や信頼性の低下といった課題を克服することが出来る。更に、深溝玉軸受の場合には転道面が概略真円となり転道早さの変化が小さくなるので騒音も抑制することが出来る。
【００１７】
【発明の実施の形態】
請求項１の本発明は、密閉容器内に、駆動要素と、駆動要素により駆動されて外部から吸入した冷媒を圧縮して吐出する圧縮機構とを具備し、駆動要素および圧縮機構を連結するシャフトを圧縮機構の主軸受および駆動要素を挟んで反対側の副軸受で回転自在に支持する密閉型圧縮機であって、副軸受の軸線と副軸受保持板への取り付け面が傾いて構成されており、副軸受を回転調整させることにより主軸受の軸線と副軸受の軸線を概略平行にして組み立てることにしたものである。
【００１８】
このように副軸受の軸線と副軸受保持板への取り付け面が傾いて構成されており、副軸受を回転調整させることにより、副軸受保持板が主軸受の軸線と傾いて取り付けられても、主軸受と副軸受の軸線を概略平行にすることが出来る。従って、副軸受に高価な深溝玉軸受を使用することなく、また滑り軸受を使用しても片当たりによる入力増大や信頼性の低下などの課題の無い、安価で信頼性の高い圧縮機を実現することが出来る。
【００１９】
更に、請求項２の本発明は、密閉容器内に、駆動要素と、駆動要素により駆動されて外部から吸入した冷媒を圧縮して吐出する圧縮機構とを具備し、駆動要素および圧縮機構を連結するシャフトを圧縮機構の主軸受および駆動要素を挟んで反対側の副軸受で回転自在に支持する密閉型圧縮機であって、副軸受の軸線と副軸受保持板への取り付け面が傾いて構成されており、副軸受保持板の傾きと相殺する傾きを持った副軸受を選択して主軸受の軸線と副軸受の軸線を概略平行にして組み立てることとしたものである。
【００２０】
このようにすることにより、副軸受保持板が主軸受の軸線と傾いて取り付けられても、副軸受保持板の傾きと相殺する傾きを持った副軸受を選択することにより、主軸受と副軸受の軸線を概略平行にすることが出来る。従って、副軸受に高価な深溝玉軸受を使用することなく、また滑り軸受を使用しても片当たりによる入力増大や信頼性の低下などの課題の無い、安価で信頼性の高い圧縮機を実現することが出来る。
【００２１】
以下、本発明のいくつかの実施形態について、図面を参照しながら説明する。
【００２２】
（実施の形態１）
図１は本発明第１の実施の形態におけるスクロール圧縮機の縦断面図である。ここで図１に示す圧縮機の構成は、図３で詳述した従来のスクロール圧縮機と同様な構成であり、同一機能部品については同一番号を使用する。また、従来例と同一の構成および作用の説明は省く。
【００２３】
副軸受保持板１２は溶接や焼き嵌めなどの方法で密閉容器１に固定されているが、熱を利用しているために、傾きが発生して固定されている。そこに副軸受保持板１２への取り付け面２１ａが副軸受の軸線２１ｂと傾き２１ｃを持った副軸受ホルダー２１を取り付けるのであるが、ボルト取り付け穴が同心円上に長穴状に形成されているので、副軸受ホルダー２１を回転調整して組み立てすることにより、副軸受保持板１２の傾きを相殺し、主軸受６との軸線を概略平行に調整組み立てる方法で製造したものである。図中、イ）の回転位置では、副軸受保持板１２の傾きと副軸受ホルダー２１の傾きが相殺され副軸受の軸線２１ｂと主軸受６の軸線が概略平行となっている。
【００２４】
従って、シャフト４と主軸受６および副軸受２２と副軸４ｃの片当たりを回避することが出来るので、駆動力の増大による圧縮機入力が増加することなく、また、油膜が切れにくくなるので効率の良い信頼性の高い圧縮機を提供することが出来る。しかし図１のロ）の位置（イの位置から±９０゜回転）および図中ハ）の位置（イの位置から１８０゜回転）で取り付けた場合には、副軸受ホルダー２１の傾きは相殺されず主軸受６と副軸受の軸線２１ｂを平行にすることは出来ない。更に、本実施形態では副軸受２２を滑り軸受としているので、静かである。また、部品点数の削減やコストダウンといった観点と副軸受ホルダー２１の調整組み立ても容易であることも加えて、効率と信頼性が高く静かで安価な圧縮機を提供することが出来る。
【００２５】
（実施の形態２）
図２は本発明の第２の実施形態におけるスクロール圧縮機の縦断面図である。ここで図２に示す圧縮機の構成は、図３で詳述した従来のスクロール圧縮機と同様な構成であり、同一機能部品については同一番号を使用する。また、従来例と同一の構成および作用の説明は省く。
【００２６】
副軸受保持板１２は溶接や焼き嵌めなどの方法で密閉容器１に固定されているが、熱を利用しているために、傾きが発生して固定されている。そこに副軸受保持板１２への取り付け面２１ａが副軸受の軸線２１ｂと傾き２１ｃを持った副軸受ホルダー２１を取り付けるのであるが、この時、副軸受保持板１２の傾きを測定した上で相殺する傾きを持つ副軸
受ホルダー２１を選択し組み立てることにより、副軸受保持板１２の傾きをより精度良く相殺し、主軸受６との軸線を概略平行に組み立てる方法で製造したものである。
【００２７】
図２の下方の副軸受ホルダー２１においてイおよびハを選択した場合は副軸受保持板１２の傾きと副軸受ホルダー２１の軸線２１ｂと取り付け面２１ａの傾き２１ｃが不一致となり主軸受６と副軸受２２の軸線を概略平行に組み立てることは出来ずシャフト４の副軸４ｃと副軸受２２の片当たりが発生するが、ロを選択し組み立てした場合は副軸受保持板１２と副軸受ホルダー２１の傾きが一致しているので主軸受６と副軸受２２の軸線を概略平行にすることが出来る。
【００２８】
従って、シャフト４と主軸受６および副軸受２２と副軸４ｃの片当たりを回避することが出来るので、駆動力の増大による圧縮機入力が増加することなく、また、油膜が切れにくくなるので効率の良い信頼性の高い圧縮機を提供することが出来る。更に、本実施の形態では副軸受２２を滑り軸受としているので静かである。また、部品点数の削減やコストダウンといった観点と副軸受ホルダー２１の調整組み立ても容易であることも加えて、効率と信頼性がさらに高く静かで安価な圧縮機を提供することが出来る。
【００２９】
なお、これらの実施の形態では副軸受保持板への取り付け面が傾いた副軸受ホルダーで説明したが、副軸受保持板への取り付け面が副軸受の軸線と直角である副軸受ホルダーに両面が傾いた平板を挟んで副軸受保持板に組み立てても同様の効果を得ることができる。また、スクロール圧縮機で説明したが、他の形式の圧縮機でも同様である。
【００３０】
【発明の効果】
以上のように請求項1記載の発明によれば、副軸受の軸線と副軸受保持板への取り付け面が傾いて構成されており、副軸受を回転調整させることにより主軸受の軸線と副軸受の軸線を概略平行にして組み立てることとしたので、副軸受保持板と主軸受の軸線が傾いて固定されても副軸受ホルダーの副軸受保持板への取り付け面と副軸受の軸線が傾いているので副軸受保持板を回転させることにより主軸受と副軸受の軸線を概略平行にすることが出来、滑り副軸受を採用しても副軸の片当たりによる駆動力の増加や油膜切れによる信頼性の低下といった課題のない安価な圧縮機を製造できるという有利な効果が得られる。
【００３１】
請求項２記載の発明によれば、副軸受の軸線と副軸受保持板への取り付け面が傾いて構成されているので、副軸受保持板と主軸受の軸線が傾いて固定されても副軸受保持板の傾きを相殺する傾きの副軸受を選択して主軸受の軸線と副軸受の軸線を概略平行にして組み立てることととしたので、滑り副軸受を採用しても副軸の片当たりによる駆動力の増加や油膜切れによる信頼性の低下といった課題のない安価な圧縮機を製造できるという有利な効果が得られる。
【図面の簡単な説明】
【図１】  第１の実施形態における副軸受付近の断面図と副軸受ホルダーの回転したときの断面図
【図２】  第２の実施形態における副軸受付近の断面図と副軸受ホルダーの断面図
【図３】  従来のスクロール圧縮機の縦断面図
【符号の説明】
１  密閉容器
２  圧縮機構
３  軸受部品
５  電動機
６  主軸受
１０  深溝玉軸受
１１  副軸受ホルダー
１２  副軸受保持板
１９  偏芯軸受
２１  副軸受ホルダー
２１ａ  取り付け面
２１ｂ  副軸受の軸線
２１ｃ  傾き
２２  副軸受
【図１】
0003876670.tif 000002
【図２】
0003876670.tif 000003
【図３】
0003876670.tif 000004